(57)【要約】【課題】  容易に画像データを転送可能な表示システムを提供する。【解決手段】  赤外線センサを有するフォトフレーム１０と、赤外線センサ及びタッチセンサを搭載したリモコン２０と、からなる表示システムであり、リモコン２０に所望の画像を表示させた状態で、ユーザがリモコン２０の表示部上をなぞると、表示部がなぞられたことをリモコン２０のタッチセンサが検出する。このタッチセンサの検出に基づいて、表示部に表示されている画像が赤外線によりフォトフレーム１０へ転送される。フォトフレーム１０は受信した画像を内部メモリに格納すると共に自動的に待ちうけ画像として設定する。【選択図】  図１
2010249863.tif 000002
【特許請求の範囲】
【請求項１】
タッチセンサを有する第１の表示装置と、第２の表示装置とからなる表示システムであり、
前記第１の表示装置は、画像を表示している状態で、前記タッチセンサがなぞられると、表示されている画像を前記第２の表示装置に送信し、前記第２の表示装置は、前記第１の表示装置から送信された画像を受信し、記憶及び／又は表示することを特徴とする表示システム。
【請求項２】
第１の表示装置と、第２の表示装置とからなる表示システムであり、
前記第１の表示装置は、タッチセンサと画像を送信する送信部と第１の表示部とを有し、
前記第２の表示装置は、画像を受信する受信部と、第２の表示部と、記憶部とを有し、
前記第１の表示装置は、前記第１の表示部に画像を表示している状態で、前記タッチセンサがなぞられると、表示されている画像を前記送信部により送信を行い、
一方、前記第２の表示装置は、前記受信部が前記第１の表示部から送信された画像を受信し、受信した画像を前記記憶部に記憶及び／又は前記表示部に表示することを特徴とする表示システム。
【請求項３】
第１の表示装置と、第２の表示装置とからなる表示システムであり、
前記第１の表示装置は、タッチセンサと画像を送信する送信部と第１の表示部とを有し、
前記第２の表示装置は、画像を受信する受信部と、第２の表示部とを有し、
前記第１の表示装置は、前記第１の表示部に画像を表示している状態で、前記タッチセンサがなぞられると、表示されている画像を前記送信部により送信を行い、
一方、前記第２の表示装置では、前記受信部が前記第１の表示部から送信された画像を受信し、受信した画像を自動的に待ちうけ画像として登録し前記表示部に表示することを特徴とする表示システム。
【発明の詳細な説明】
【技術分野】
【０００１】
本発明はデジタルフォトフレーム等の表示装置とリモコンからなる表示システムに関する。
【背景技術】
【０００２】
近年では、カメラで撮影した画像等を表示するデジタルフォトフレームが製品化されている。このデジタルフォトフレームでは、待受け時にメモリに格納されている画像をスライド形式で切り替え表示する機能や、音楽を再生する機能等が搭載されている。又、スキャナ装置から読み込んだ画像を表示可能な電子式写真立てが特許文献１に記載されている。
【先行技術文献】
【特許文献】
【０００３】
【特許文献１】特開平１０−８３１４６号公報
【発明の概要】
【発明が解決しようとする課題】
【０００４】
しかしながら、上記特許文献１に記載の技術では、一々スキャナや記憶媒体を表示装置に取り付けなければ表示装置が他の電子機器から画像を取り込むことができない。
【課題を解決するための手段】
【０００５】
請求項１に記載の発明は、タッチセンサを有する第１の表示装置と、第２の表示装置とからなる表示システムであり、前記第１の表示装置は、画像を表示している状態で、前記タッチセンサがなぞられると、表示されている画像を前記第２の表示装置に送信し、前記第２の表示装置は、前記第１の表示装置から送信された画像を受信し、記憶及び／又は表示することを特徴とする。
請求項２に記載の発明は、第１の表示装置と、第２の表示装置とからなる表示システムであり、前記第１の表示装置は、タッチセンサと画像を送信する送信部と第１の表示部とを有し、前記第２の表示装置は、画像を受信する受信部と、第２の表示部と、記憶部とを有し、前記第１の表示装置は、前記第１の表示部に画像を表示している状態で、前記タッチセンサがなぞられると、表示されている画像を前記送信部により送信を行い、一方、前記第２の表示装置は、前記受信部が前記第１の表示部から送信された画像を受信し、受信した画像を前記記憶部に記憶及び／又は前記表示部に表示することを特徴とする。
請求項３に記載の発明は、第１の表示装置と、第２の表示装置とからなる表示システムであり、前記第１の表示装置は、タッチセンサと画像を送信する送信部と第１の表示部とを有し、前記第２の表示装置は、画像を受信する受信部と、第２の表示部とを有し、前記第１の表示装置は、前記第１の表示部に画像を表示している状態で、前記タッチセンサがなぞられると、表示されている画像を前記送信部により送信を行い、一方、前記第２の表示装置では、前記受信部が前記第１の表示部から送信された画像を受信し、受信した画像を自動的に待ちうけ画像として登録し前記表示部に表示することを特徴とする。
【発明の効果】
【０００６】
請求項１及び２に記載の発明よれば、画像が表示されている状態でユーザが表示部をなぞるだけで、簡単に画像データをフォトフレームに送信することが可能である為、従来のように一々画像データを搬送可能な記憶媒体に記憶し、他の電子機器に記憶媒体を装着して保存するといった面倒な操作を行う必要がない。
また、請求項３に記載の発明によれば、フォトフレームは送信された画像を自動的に待ち受け画像として登録する為、ユーザが一々待ちうけ画像としての登録操作をフォトフレームで行う必要がない。
【図面の簡単な説明】
【０００７】
【図１】本発明を適用してなる実施例装置の外観図である。
【図２】本実施例装置のフォトフレーム１０の外観図である。
【図３】本実施例装置のフォトフレーム１０の裏面図である。
【図４】本実施例装置のフォトフレーム１０のブロック図である。
【図５】本実施例装置のリモコン２０のブロック図である。
【発明を実施するための形態】
【０００８】
次に、本発明の一実施形態に係る表示装置について、図面を参照して説明する。なお、本実施形態ではデジタルフォトフレームを例に実施しているが、本発明はデジタルフォトフレームに限らず、テレビ放送を視聴可能な液晶テレビ、プラズマディスプレイ等の電子機器にも同様に適応可能である。
【実施例】
【０００９】
図１は本実施例装置の概要を説明するための図である。本実施例装置はデジタルフォトフレーム１０（以下、フォトフレーム１０と称す）とリモコン２０とからなり、リモコン２０に表示されている画像をユーザが指でフォトフレーム１０の存在する方向（図１矢印の方向）になぞると、リモコン２０に表示されている画像がフォトフレーム１０に転送される。尚、本実施例ではリモコン２０と表記しているが、フォトフレーム１０同士で画像を転送する構成としても良い。
【００１０】
図２は、本発明の実施例に係るフォトフレームの一例を示す斜視図、図３は、図２におけるフォトフレームの背面図、図４は、本発明の実施例に係るフォトフレーム１０の構成を示すブロック図、図５はリモコン２０の構成を示すブロック図である。
【００１１】
本実施例に係るフォトフレーム１０は、図２で示すように、矩形で扁平状の筐体の前面に設けられた表示部１１と、筐体の背面中央に設けられたスタンド２０とからなる。そして、筐体前面の下隅には、電源スイッチ２１が設けられている。
【００１２】
また、図３に示すように、フォトフレーム１０の背面には、縦置き／横置きの調整が可能なスタンド２０の他に、上方左右両側にステレオスピーカー２２−１，２２−２と、下方右側にＤＣ電源端子２３、ＳＤカード／メモリースティック用スロット２４、ＵＳＢメモリ端子２５と、下方左側に音量ダイヤル２６、ヘッドホン端子２７、中央左側に操作部１２が設けられている。なお、本実施例では、電源スイッチ２１をフォトフレーム１０の前面側に設けているが、背面側の操作部１２に設けてもよい。
【００１３】
さらに、フォトフレーム１０は、図４に示すように、表示部１１、操作部１２、内蔵メモリ１３、外部メモリインターフェース１４、赤外線センサ１５、電源制御部１６、データ通信モジュール１７、音声出力部１８、制御部１９などを備えて構成されている。
【００１４】
表示部１１は、フォトフレーム１０の前面側に設けられた液晶ディスプレイから構成されるＬＣＤモジュール１１−１と、その裏面に設けられたＬＥＤ１１−２およびＬＥＤバックライトコントローラ１１−３とから構成され、制御部１９の制御により、メモリカードなどから読み出したデジタル画像データ（例えば、ＪＰＥＧファイル）がＬＣＤモジュール１１−１に再生表示される。
【００１５】
操作部１２は、フォトフレーム１０の背面側に設けられた複数の操作ボタン１２−１から構成される。また、複数の操作ボタンは、具体的には、図３で示すように、表示部１１にメニュー画面を表示させるためのメニューボタン、スライドショー再生を止めるための画面消去ボタン、通常のスライドショー再生に戻すための戻るボタン、設定項目を選んだり画像データを切り換えるために次の画像データを再生したりするための次へボタン、設定項目を選んだり１つ前の画像データを再生したりするための前へボタン、設定項目を選んだり画像データを回転させたりするための回転ボタン、設定項目を選んだり表示部１１の明るさを調節したりするための明るさボタン、スライドショー再生を一時停止させたり選択した設定を確定させたりするための決定ボタンなどから構成されている。尚、これら操作ボタンは筐体前面側に配置させても良い。
【００１６】
内蔵メモリ１３は、後述する制御部１９がプログラム実行中に一時的に保持する必要の生じたデータが保存されるワーク用メモリであるＳＤＲＡＭ１３−１や、メモリカードなどから読み出された音楽データ（例えば、ＭＰ３形式の音楽ファイル）や画像データが保存されるユーザ領域などからなるＮＡＮＤ型フラッシュメモリ１３−２などから構成されている。音楽データや画像データは、ＳＤメモリカードなどの可搬型記憶媒体からコピーすることによって得てもよいし、ＷＬＡＮを介して所定のサーバからダウンロードすることによって得てもよい。
【００１７】
外部メモリインターフェース１４は、ＳＤメモリカードやメモリースティックを差し込むためのスロット２４を備え、差し込まれたメモリカードの読み書きを行うＳＤアダプタ１４−１、差し込まれたメモリースティックの読み書きを行うＭＳアダプタ１４−２や、ＵＳＢメモリを差し込むためのポート２５を備えたＵＳＢコネクタ１４−３などから構成されている。
【００１８】
赤外線センサ１５は、リモコン２０との画像データの送受信やリモコン２０からの遠隔操作を行う為の信号を受信するためのセンサである。
【００１９】
電源制御部１６は、フォトフレーム１０内の各部に対して電力の供給を行う。供給される電力は、電源端子２３に接続された電源アダプタを介して外部電源から得るようにしてもよく、あるいはフォトフレーム１０内に設けた充電地（図示せず）などから得るようにしてもよい。
【００２０】
データ通信モジュール１７は、無線通信でデータの送受信を行うＷＬＡＮモジュール１７−１や、赤外線を利用して近距離データ通信を行うＳＩＲ（Ｓｅｒｉａｌ  ＩｒＤＡ）モジュール１７−２などから構成されている。
【００２１】
音声出力部１８は、メモリカードなどから読み出された音楽データを再生して出力するために、Ｄ／Ａコンバータ（ＤＡＣ）、アンプ、スピーカー２２−１，２２−２などから構成されている。さらに、音声出力部１８は、図４で示すように、音量を調節するための音量ダイヤル２６やヘッドホンを接続するためのヘッドホン端子２７を備えている。
【００２２】
制御部１９は、マイクロプロセッサを主たる構成要素とし、一般的なコンピュータ装置と同様に各種クロックパルスを生成して、ＮＡＮＤ型フラッシュメモリ１３−２に格納されている制御プログラムに基づき各部動作を制御する。また、ＳＤＲＡＭ１３−１には、プログラム実行中に一時的に保持する必要の生じたデータを保存する。
【００２３】
また、制御部１９は、操作部１２からの操作入力に応じてスロット２４に差し込まれたＳＤメモリカードやメモリースティックに画像データとして記録されているＪＰＥＧ形式の画像ファイル（ＪＰＥＧファイル）をＮＡＮＤ型フラッシュメモリ１３−２のユーザ領域へコピーして保存したり、ＳＤメモリカードなどの画像データやＮＡＮＤ型フラッシュメモリ１３−２に保存されている画像データを表示部１１にスライドショー再生させたりする。
【００２４】
さらに、制御部１９は、操作部１２からの操作入力に応じてスロット２４に差し込まれたＳＤメモリカードやメモリースティックに音楽データとして記録されているＭＰ３形式の音楽ファイル（ＭＰ３ファイル）をＮＡＮＤ型フラッシュメモリ１３−２のユーザ領域へコピーして保存したり、ＳＤメモリカードなどの音楽データやＮＡＮＤ型フラッシュメモリ１３−２に保存されている音楽データを再生させて音声出力部１８から出力させたりする。
【００２５】
続いてリモコン２０について図５を用いて説明する。リモコン２０は、図５に示すように、表示部２１、内蔵メモリ２２、外部メモリインターフェース２３、赤外線センサ２４、電源制御部２５、音声出力部２６、制御部２７などを備えて構成されている。
【００２６】
表示部２１は、リモコン２０の前面側に設けられた液晶ディスプレイから構成されるＬＣＤモジュール２１−１と、その裏面に設けられたＬＥＤ２１−２およびＬＥＤバックライトコントローラ２１−３とから構成され、制御部２７の制御により、メモリカードなどから読み出したデジタル画像データ（例えば、ＪＰＥＧファイル）がＬＣＤモジュール２１−１に再生表示される。又、表示部２１にはタッチセンサ２１−４が搭載されており、ユーザが表示部２１にタッチする或いはなぞることにより操作を行うことが可能である。その操作としては、フォトフレーム１０で再生する画像の変更、音量の変更等のリモコンとしての操作や、リモコン２０からフォトフレーム１０へ画像を送信するための操作等がある。
【００２７】
内蔵メモリ２２は、後述する制御部１９がプログラム実行中に一時的に保持する必要の生じたデータが保存されるワーク用メモリであるＳＤＲＡＭ２２−１や、メモリカードなどから読み出された音楽データ（例えば、ＭＰ３形式の音楽ファイル）が保存されるユーザ領域などからなるＮＡＮＤ型フラッシュメモリ２２−２（以下、フラッシュメモリ２２−２と称す）などから構成されている。音楽データは、後述するように、ＳＤメモリカードなどの可搬型記憶媒体からコピーすることによって得てもよいし、ＷＬＡＮを介して所定のサーバからダウンロードすることによって得てもよい。
【００２８】
外部メモリインターフェース２３は、ＳＤメモリカードやメモリースティックを差し込むためのスロットを備え、差し込まれたメモリカードの読み書きを行うＳＤアダプタ２３−１、差し込まれたメモリースティックの読み書きを行うＭＳアダプタ２３−２や、ＵＳＢメモリを差し込むためのポートを備えたＵＳＢコネクタ２３−３などから構成されている。
【００２９】
赤外線センサ２４は、フォトフレーム１０との画像データの送受信やフォトフレーム１０へ遠隔操作を行う為の信号を送信するためのセンサである。
【００３０】
電源制御部２５は、リモコン２０内の各部に対して電力の供給を行う。供給される電力は、電源端子に接続された電源アダプタを介して外部電源から得るようにしてもよく、あるいはリモコン２０内に設けた充電地（図示せず）などから得るようにしてもよい。
【００３１】
音声出力部２６は、メモリカードなどから読み出された音楽データを再生して出力するために、Ｄ／Ａコンバータ（ＤＡＣ）、アンプ、スピーカーなどから構成されている。
【００３２】
制御部２７は、マイクロプロセッサを主たる構成要素とし、一般的なコンピュータ装置と同様に各種クロックパルスを生成して、フラッシュメモリ２２−２に格納されている制御プログラムに基づき各部動作を制御する。また、ＳＤＲＡＭ２２−１には、プログラム実行中に一時的に保持する必要の生じたデータを保存する。
【００３３】
また、制御部２７は、表示部２１からの操作入力に応じてスロットに差し込まれたＳＤメモリカードやメモリースティックに画像データとして記録されているＪＰＥＧ形式の画像ファイル（ＪＰＥＧファイル）をフラッシュメモリ２２−２のユーザ領域へコピーして保存したり、ＳＤメモリカードなどの画像データやフラッシュメモリ２２−２に保存されている画像データを表示部２１に表示させたりする。
【００３４】
さらに、制御部２７は、表示部２１からの操作入力に応じてスロットに差し込まれたＳＤメモリカードやメモリースティックに音楽データとして記録されているＭＰ３形式の音楽ファイル（ＭＰ３ファイル）をフラッシュメモリ２２−２のユーザ領域へコピーして保存したり、ＳＤメモリカードなどの音楽データやフラッシュメモリ２２−２に保存されている音楽データを再生させて音声出力部２６から出力させたりする。
【００３５】
次に本実施例装置の動作について説明する。まず、ユーザはリモコン２０の表示部２１に所望の画像を表示させる。より具体的には、リモコン２０の制御部２７は、タッチセンサ２１−４から内蔵メモリ２２のフラッシュメモリ２２−２に格納されている画像データを読み込む指示があると判定すると、フラッシュメモリ２２−２から画像データの一覧を読込、表示部２１に表示させる。続いて制御部２７は、タッチセンサ２１−４から画像の選択操作があると判定すると、選択された画像データを表示部２１一面に表示させる。
【００３６】
続いて、制御部２７は、タッチセンサ２１−４から画像送信の指示操作と、続いて指で表示部２１がなぞられたことを示す信号を検出すると、表示部２１に表示されている画像データをフラッシュメモリ２２−２から読み込み、赤外線センサ２４に転送する。
【００３７】
続いて赤外線センサ２４は、画像データの転送コマンドと、内蔵メモリ２２から転送された画像データの送信を開始する。
【００３８】
一方、フォトフレーム１０の赤外線１５は、リモコン２０からの画像データの転送コマンドを受信すると、続いて送信された画像データを受信する。受信された画像データは内蔵メモリ１３のフラッシュメモリ１３−２に格納されると共に、表示部１１に表示される。尚、このときに、赤外線センサ１５で受信した画像データを自動的に待ちうけ画像にしても良い。このような構成とすることにより、一々ユーザが画像データの待ちうけ設定を行う必要がない。
【００３９】
以上説明したように、本実施例装置では、ユーザがリモコン２０に表示されている画像をなぞるだけで、自動的にリモコン２０からフォトフレーム１０に画像データを転送することが可能であり、従来のデジタルフォトフレームのように、一々リモコン２０のような装置に記憶されている画像データをＳＤカードのような搬送可能な記憶媒体にコピーし、その記憶媒体をデジタルフォトフレームに装着することにより、リモコン２０からフォトフレームへ転送するといった面倒な動作を行う必要がない。
【００４０】
尚、本実施例では、リモコン２０に表示されている１枚の画像をフォトフレーム１０に転送する構成としたが、リモコン２０に複数の画像をサムネイル形式で表示し、ユーザが表示されている画像から所望の画像を複数選択し、最後になぞる操作を行うことにより、リモコン２０からフォトフレーム１０に一度に複数の画像を送信する構成としてもよい。
【００４１】
又、本実施例では、リモコン２０からフォトフレーム１０に画像を送信する際に、ユーザがリモコン２０の表示部２１をなぞることにより送信しているが、リモコン２０からフォトフレーム１０の存在する位置を検出するセンサを設け、ユーザがフォトフレーム１０の存在する方向になぞる場合にのみ画像データを送信する構成としても良い。
【符号の説明】
【００４２】
１１      表示部
１３      内蔵メモリ
１４      外部メモリＩ／Ｆ
１５      赤外線センサ
１９      制御部
２０      リモコン
２１−４  タッチセンサ
２２      内蔵メモリ
２２−２  ＮＡＮＤ型フラッシュメモリ
２４      赤外線センサ
【図１】
2010249863.tif 000003
【図２】
2010249863.tif 000004
【図３】
2010249863.tif 000005
【図４】
2010249863.tif 000006
【図５】
2010249863.tif 000007